(57)【要約】【課題】  ペットとの散歩時の、糞袋を選び、一緒に歩行し、糞を回収し、持ち帰り、廃棄するという幾つかの行動を一連の作業と捕らえ、作業のしやすさのみならず、愛犬の糞といえども糞＝汚物であり、回収後の臭いや糞袋を目の当たりにする抵抗感を軽減して、トータルに飼い主にとっても第三者にとっても気持ちよくペットとの散歩を楽しむことを目的とした糞袋キャリーを提供する。【解決手段】  持ち手（１）は、ペットとの散歩時、身近な場所に着脱できるようにし、収納部の糞袋取り付け具（３）は、糞袋（５）を着脱させると同時に袋の開閉も出来る機能を併せ持ち、持ち手（１）と連結（２）させることで糞袋（５）は本体と一体化する。  また、収納部全体をカバー（４）で覆うことで、臭いと汚物を持ち歩く抵抗感を緩和することを特徴とする。【選択図】図１
2011067185.tif 000002
【特許請求の範囲】
【請求項１】
（イ）本発明の持ち手（１）は、ペットとの歩行時の所持品と着脱が可能である。
（ロ）本発明の収納部としての糞袋取り付け具（３）は、糞袋（５）を着脱させると同時に糞袋（５）の開閉が出来る機能を併せ持ち、持ち手（１）と連結部（２）を介して結合させることで、糞袋（５）は本体と一体構造となる。
（ハ）糞袋取り付け具（３）と糞袋（５）の全体を覆うカバー（４）を設ける。
以上の構成よりなるペットの糞携帯関連用品。
【請求項２】
本発明の連結部（２）は、持ち手（１）を兼ね、ペットとの歩行時の所持品と直接着脱が可能な機能を備える、請求項１のペットの糞携帯関連用品。
【発明の詳細な説明】
【技術分野】
【０００１】  本発明は、ペットとの散歩時、糞袋を選び一緒に歩行し糞を回収し持ち帰り処理するまでの幾つかの行動を一連の作業と捕らえ、糞袋の開閉と糞袋の本体への着脱と糞袋の目隠しを同時に可能とするなど作業面の簡略化と、臭いや糞を携帯することの自他への精神衛生面も配慮し、トータルにペットとの散歩を楽しむことを目的とした糞袋キャリーに関するものである。
【背景技術】
【０００２】  従来、散歩時のペットの糞回収においては、糞回収に適当な持ち手つきのビニール袋を選び、裏返して手で糞を回収し、臭わないよう袋口を結び、持ち帰り、またはバックに入れて持ち帰り、そのまま燃えるゴミとして廃棄していた。
尚、回収の際、シャベルなどの道具を使用したり、糞が地面に落ちる手前でキャッチし携帯する道具などもあった。（特許文献１参照）、（特許文献２参照）、（特許文献３参照）
【先行技術文献】
【０００３】
【特許文献１】  特開２００６−２８０３５号公報
【特許文献２】  特開平１０−１６５０３０号公報
【特許文献３】  特開２００５−６５６８５号公報
【発明の概要】
【発明が解決しようとする課題】
【０００４】  ペットを飼うものにとって、散歩時の糞を持ち帰り廃棄するという行為は、公共のマナーであり責務であるが、様様な問題があった。
例えば、
（イ）回収後の糞袋を手に持っていると煩わしく、歩行の妨げになったりする。（問題点１）
（ロ）回収後の糞の臭いが気になるので、糞袋口を固く結ぶ必要があり再度の糞回収に手間取ったりする。（問題点２）
（ハ）帰宅後、ごみ回収日まで、ごみ捨て容器内の糞袋臭が気になったりする。（問題点３）
（ニ）糞回収に適した糞袋選びが必要だったりする。（問題点４）
（ホ）また、いくら愛情あるペットの糞といえども汚物を携帯することであり、散歩中の飼い主にとっても、ましてや第三者にとっても決して好ましいものではなく、糞をなるべく意識させて歩きたくない。（問題点５）
本発明は、以上（イ）〜（ホ）の問題を解決させるためになされたものである。
【課題を解決するための手段】
【０００５】（イ）持ち手は、ペットとの散歩時、身近な場所に着脱できるようにする。
（ロ）収納部の糞袋取り付け具は、糞袋を着脱させると同時に糞袋の開閉ができ、また持ち手と連結させることで、同時に糞袋の本体への一体化を可能とする。
（ハ）収納部全体をカバーで覆う。
以上を特徴とするペットとの散歩をすっきり手軽に楽しむカバー付糞袋キャリーである。
【発明の効果】
【０００６】  上記の解決手段を用いることにより、ペットのリードやハーネス、飼い主のベルトを含む衣類やバッグ、ペットカート等の散歩時の所持品に着脱が可能であり、糞袋を持つ手が空くことにより、歩行の安全性が向上し持つ煩わしさも解消できる。（問題点１）
また、回収後の糞袋口を結ぶ必要がなく、再度の糞取りにも容易に対応でき、ごみ回収日までの臭い対策として糞袋に防臭剤等の添加も可能である。（問題点２）（問題点３）
また、ビニールの透明感や持ち手の有無や大小を気にして糞袋を選ぶ手間も軽減される。（問題点４）
また、収納部全体を覆うカバーは自由度が高く、素材や配色、デザイン次第で、ペットリードやペット服等とペア感覚にできるなど、スタイリッシュな演出も可能となる。（問題点５）
本発明は、ペットとの散歩時、糞袋を選び一緒に歩行し糞を回収し持ち帰り廃棄するまでの幾つかの行動を一連の作業と捕らえ、その作業の手間を軽減のみならず、精神衛生面も重視し、カバーを付けることで、糞の臭いと汚物を携帯する抵抗感を軽減し、飼い主にとっては愛犬との散歩がより充実し、また散歩中に出合う第三者への配慮にもなるものである。
【図面の簡単な説明】
【０００７】
【図１】  本発明品の形態１の糞回収後の使用状態を示した説明図である。
【図２】  本発明品の形態２の糞回収前の使用状態を示した説明図である。
【図３】  本発明品の形態３の斜視図である。
【図４】  本発明品の形態４の斜視図である。
【図５】  本発明品の形態２、形態４の連結部の使用状態を示した説明図である。
【図６】  本発明品の使用状況を示した説明図である。
【発明を実施するための形態】
【０００８】  以下、本発明品を実施するための形態について説明する。
〔形態１〕
（イ）持ち手（１）は、内側に摩擦弾力素材を施したクリップとする。
（ロ）持ち手（１）と糞袋取り付け具（３）とを結合する連結部（２）は、チェーンやワイヤー等とする。
〔形態２〕
（イ）持ち手（１）は、互いに留めた時に環になるように、両端に留め具を設ける。
（ロ）持ち手（１）と糞袋取り付け具（３）とを結合する連結部は、紐またはワイヤー等の伸縮機能を有した装置（２）とする。
〔形態３〕
連結部（２）は持ち手（１）を兼ね、中間に止め具受けとしての輪を設け、先端に止め具を設けたチェーンやワイヤー、紐などにする。
〔形態４〕
連結部（２）は持ち手（１）を兼ね、紐またはワイヤー等の伸縮機能を有した装置（２）とし、（２）にベルト等に引掛けられるようにフックを施す。
形態１、形態２、形態３、形態４、共通として、
（イ）収納部の糞取り付け具（３）は、内側に摩擦弾力素材を施したクリップとする。
（ロ）糞袋（５）は、家庭にある適当なビニール袋を使用し、散歩前に糞袋取り付け具（３）に挟んでおく。
（ハ）多頭飼いなど、再三の糞回収に備える場合、糞袋取り付け具（３）のクリップ数を２個付けにするなど、増やしての対応も可能である。
（二）カバー（４）に用いる素材やデザインは多様な対応が可能であり、抗菌処理をした素材を使うとより衛生的である。
形態１、形態３について、
着脱場所は、リードの持ち手等、糞袋取り付け作業をする手元付近が有効である。
【符号の説明】
【０００９】    １  本発明の持ち手
２  本発明の持ち手と糞袋取り付け具の連結部
３  本発明の糞袋取り付け具
４  本発明のカバー
５  糞袋
６  回収した糞
【図１】
2011067185.tif 000003
【図２】
2011067185.tif 000004
【図３】
2011067185.tif 000005
【図４】
2011067185.tif 000006
【図５】
2011067185.tif 000007
【図６】
2011067185.tif 000008